(57)【特許請求の範囲】
【請求項１】
使用者の下半身側が載せられる下半身側寝台部と、使用者の上半身側が載せられる上半身側寝台部とを含む寝台部がベッドフレームに支持されたベッドであって、
前記下半身側寝台部は、使用者の太もも側が載せられる第１部分と、前記使用者のふくらはぎ側が載せられる第２部分とを含み、
前記第１部分は、ベッド幅方向にのびる水平軸周りに回動可能に前記ベッドフレームに連結された第１端部と、前記第２部分側の第２端部とを含み、
前記第２部分は、前記第１部分の前記第２端部に屈曲可能に連結された基端部と、前記基端部とは反対側の端部である先端部とを含み、
前記ベッドフレームは、前記第２部分の前記先端部よりも前記基端部側のみを支持するフレーム支点部を有し、
ベッド側面視において、前記下半身側寝台部は、寝台面が水平な基準状態と、前記第２部分の前記基端部を頂点とした山折り状となる屈曲状態とに変形可能であり、
前記屈曲状態では、前記第２部分は、前記第１部分の前記第２端部と、前記フレーム支点部とで支持され、前記先端部が前記基準状態の前記寝台面よりも下方に位置して傾斜し、
前記フレーム支点部は、前記基準状態において、水平状態の前記第２部分を支持しかつ水平な水平面部と、前記屈曲状態において、傾斜状態の前記第２部分を支持しかつ傾斜状態の前記第２部分と実質的に平行な傾斜面部とを含むことを特徴とするベッド。
【請求項２】
前記フレーム支点部は、前記ベッドフレームから上方に突出し、前記第２部分を下側から支持する請求項１に記載のベッド。
【請求項３】
前記ベッドフレームは、床面に設置される下部フレームと、前記下部フレームの上側に配される上部フレームとを含み、
前記フレーム支点部は、前記上部フレームの前記使用者の下半身側の端部に設けられる請求項１又は２に記載のベッド。
【請求項４】
ベッド長さ方向において、前記上部フレームの長さは、前記下部フレームの長さよりも小さい請求項３に記載のベッド。
【請求項５】
前記ベッドフレームは、ベッド幅方向の両側に、ベッド長さ方向にのびる１対のサイドフレームを含み、
前記１対のサイドフレームは、前記使用者の下半身側の端部が連結されることなく開放されている請求項１乃至４のいずれかに記載のベッド。
【請求項６】
前記１対のサイドフレームは、前記使用者の上半身側の端部がヘッドボードにより固定される請求項５に記載のベッド。
【請求項７】
前記第２部分の前記先端部には、フットボードが固定される請求項１乃至６のいずれかに記載のベッド。
【発明の詳細な説明】
【技術分野】
【０００１】
本発明は、使用者の下半身側が載せられる下半身側寝台部が屈曲状態に変形可能なベッドに関する。
【背景技術】
【０００２】
従来、使用者の下半身側が載せられる下半身側寝台部と、使用者の上半身側が載せられる上半身側寝台部とを含む寝台部がベッドフレームに支持されたベッドが種々提案されている。この種のベッドは、下半身側寝台部及び上半身側寝台部の位置や角度を調整できるので、例えば、介護用ベッドや療養用ベッドとして適している。
【０００３】
下記特許文献１は、下半身側寝台部は、使用者の太もも側が載る第１部分と、使用者のふくらはぎが載る第２部分とが屈曲可能に連結されている。従って、このベッドの下半身側寝台部は、ベッド側面視において、その寝台面が水平な基準状態と、第１部分と第２部分との連結部を頂点とした山折り状となる屈曲状態とで変形可能である。このため、寝台部上の使用者は、上記屈曲状態では、下半身側寝台部の山折り形状に自らの足を沿わせて、もたせ掛けることができる。
【先行技術文献】
【特許文献】
【０００４】
【特許文献１】特開２００５−１２４６５１号公報
【発明の概要】
【発明が解決しようとする課題】
【０００５】
特許文献１において、使用者のふくらはぎが載る第２部分は、基準状態の寝台面よりも常に上方に位置している。このため、下半身側寝台部が屈曲状態とされたとき、寝台部上の使用者は、下半身側寝台部に持ち上げられた脚部、とりわけふくらはぎの上昇によって腹部等が圧迫されるという傾向があった。
【０００６】
本発明は、以上のような実状に鑑み案出されたもので、下半身側寝台部が屈曲状態とされたときでも、腹部等の圧迫がなく快適な使用感を得ることができるベッドを提供することを主たる目的としている。
【課題を解決するための手段】
【０００７】
本発明は、使用者の下半身側が載せられる下半身側寝台部と、使用者の上半身側が載せられる上半身側寝台部とを含む寝台部がベッドフレームに支持されたベッドであって、前記下半身側寝台部は、使用者の太もも側が載せられる第１部分と、前記使用者のふくらはぎ側が載せられる第２部分とを含み、前記第１部分は、ベッド幅方向にのびる水平軸周りに回動可能に前記ベッドフレームに連結された第１端部と、前記第２部分側の第２端部とを含み、前記第２部分は、前記第１部分の前記第２端部に屈曲可能に連結された基端部と、前記基端部とは反対側の端部である先端部とを含み、前記ベッドフレームは、前記第２部分の前記先端部よりも前記基端部側のみを支持するフレーム支点部を有し、ベッド側面視において、前記下半身側寝台部は、寝台面が水平な基準状態と、前記第２部分の前記基端部を頂点とした山折り状となる屈曲状態とに変形可能であり、前記屈曲状態では、前記第２部分は、前記第１部分の前記第２端部と、前記フレーム支点部とで支持され、前記先端部が前記基準状態の前記寝台面よりも下方に位置して傾斜することを特徴とする。
【０００８】
本発明に係るベッドにおいて、前記フレーム支点部は、前記ベッドフレームから上方に突出し、前記第２部分を下側から支持するのが望ましい。
【０００９】
本発明に係るベッドにおいて、前記フレーム支点部は、前記基準状態において、水平状態の前記第２部分を支持しかつ水平な水平面部と、前記屈曲状態において、傾斜状態の前記第２部分を支持しかつ傾斜状態の前記第２部分と実質的に平行な傾斜面部とを含むのが望ましい。
【００１０】
本発明に係るベッドにおいて、前記ベッドフレームは、床面に設置される下部フレームと、前記下部フレームの上側に配される上部フレームとを含み、前記フレーム支点部は、前記上部フレームの前記使用者の下半身側の端部に設けられるのが望ましい。
【００１１】
本発明に係るベッドにおいて、ベッド長さ方向において、前記上部フレームの長さは、前記下部フレームの長さよりも小さいのが望ましい。
【００１２】
本発明に係るベッドにおいて、前記ベッドフレームは、ベッド幅方向の両側に、ベッド長さ方向にのびる１対のサイドフレームを含み、
前記１対のサイドフレームは、前記使用者の下半身側の端部が連結されることなく開放されているのが望ましい。
【００１３】
本発明に係るベッドにおいて、前記１対のサイドフレームは、前記使用者の上半身側の端部がヘッドボードにより固定されるのが望ましい。
【００１４】
本発明に係るベッドにおいて、前記第２部分の前記先端部には、フットボードが固定されるのが望ましい。
【発明の効果】
【００１５】
本発明において、下半身側寝台部は、使用者の太もも側が載せられる第１部分と、使用者のふくらはぎ側が載せられる第２部分とを含み、第１部分は、ベッド幅方向にのびる水平軸周りに回動可能にベッドフレームに連結された第１端部と、第２部分側の第２端部とを含み、第２部分は、第１部分の第２端部に屈曲可能に連結された基端部と、基端部とは反対側の端部である先端部とを含み、ベッドフレームは、第２部分の先端部よりも基端部側のみを支持するフレーム支点部を有している。このような第２部分は、ベッド側面視において、第１部分の第２端部とベッドフレームのフレーム支点部との２点でその傾斜角度を確定される。このため、第２部分の先端部の高さを任意の位置にすることが、容易である。
【００１６】
本発明では、ベッド側面視において、下半身側寝台部は、寝台面が水平な基準状態と、第２部分の基端部を頂点とした山折り状となる屈曲状態とに変形可能である。このため、寝台部上の使用者は、屈曲状態において、下半身側寝台部の山折り形状に自らの足を沿わせて、もたせ掛けることができる。
【００１７】
本発明において、屈曲状態では、第２部分は、第１部分の第２端部と、フレーム支点部とで支えられ、先端部が基準状態の寝台面よりも下方に位置して傾斜する。このため、下半身側寝台部によって足が持ち上げられた場合でも、ふくらはぎを従来よりも下方に位置させることができる。従って、本発明のベッドは、屈曲状態において、従来のベッドに比べて腹部等の圧迫を軽減して、快適な使用感が得られる。
【図面の簡単な説明】
【００１８】
【図１】本発明のベッドの一実施形態を示す斜視図である。
【図２】図１のベッドの分解斜視図である。
【図３】下部フレームの斜視図である。
【図４】上部フレームの斜視図である。
【図５】昇降機構の上面図である。
【図６】図５のＡ−Ａ線断面図である。
【図７】下半身側寝台部の部分断面図である。
【図８】上半身側寝台部の部分断面図である。
【図９】下半身側寝台部が基準状態のベッドの断面図である。
【図１０】下半身側寝台部が屈曲状態のベッドの断面図である。
【発明を実施するための形態】
【００１９】
以下、本発明の実施の一形態が図面に基づき詳細に説明される。
図１には、本実施形態のベッド１の斜視図が示されている。図１に示されるように、本実施形態のベッド１は、床面Ｆ（図示省略）に設置されるベッドフレーム２と、ベッドフレーム２に支持され、かつ、使用者が載せられる寝台部３とを含んでいる。本実施形態のベッド１は、寝台部３の高さや角度を調整することができ、例えば、介護用ベッドや療養用ベッドとして適している。
【００２０】
ベッド１は、ベッド長さ方向の一方側にヘッドボード２６を含んでいる。本明細書では、ベッド１のヘッドボード２６側を使用者の上半身側（以下、単に「上半身側」ということがある）Ｓ１とし、その反対側が使用者の下半身側（以下、単に「下半身側」ということがある）Ｓ２とする。
【００２１】
図２には、ベッド１の分解斜視図が示されている。図２に示されるように、ベッド１のベッドフレーム２は、例えば、床面Ｆ（図示省略）に設置される下部フレーム１０と、下部フレーム１０の上側に配され、かつ、寝台部３を支持する上部フレーム２０とを含んでいる。下部フレーム１０と上部フレーム２０とは、上部フレーム２０を下部フレーム１０に対して垂直方向に昇降させる昇降機構３０により連結されるのが望ましい。
【００２２】
図３には、下部フレーム１０の斜視図が示されている。図３に示されるように、下部フレーム１０は、例えば、少なくとも４本の、本実施形態では４本の脚部１１と、各脚部１１を連結する下枠部１２とを備えている。下枠部１２は、例えば、ベッド長さ方向にのびる１対の下縦枠１２Ａと、ベッド幅方向にのび、１対の下縦枠１２Ａを接続する複数の、本実施形態では２本の下横枠１２Ｂとを含んでいる。４本の脚部１１は、１対の下縦枠１２Ａのベッド長手方向の両端部に設けられるのが望ましい。
【００２３】
本実施形態の下部フレーム１０は、さらに昇降機構３０（図２に示す）が連結されるスライドレール１３及びリンク支点部１４を備えている。スライドレール１３及びリンク支点部１４は、複数個ずつ設けられるのが望ましい。本実施形態では、下部フレーム１０は、各下縦枠１２Ａに２つずつ、合計で４つのスライドレール１３が設けられる。また、本実施形態のリンク支点部１４は、スライドレール１３に隣接して、スライドレール１３と同じ個数が設けられている。
【００２４】
好ましい態様として、下部フレーム１０は、さらに、下縦枠１２Ａに複数のガード部材１５が設けられる。ガード部材１５は、例えば、細いパイプ等を曲げて形成されており、使用者の足等が下部フレーム１０の内方に入ることを防止し得る。
【００２５】
図４には、上部フレーム２０の斜視図が示されている。図４に示されるように、上部フレーム２０は、例えば、昇降機構３０（図２に示す）が連結される少なくとも４つ、本実施形態では４つの支持部２１と、各支持部２１を相対回転不能に固定する上枠部２２とを備えている。
【００２６】
支持部２１は、昇降機構３０（図２に示す）と連結される下端部２１ａと、上枠部２２に固定される上端部２１ｂとを含んでいる。支持部２１の下端部２１ａには、後述するように床面Ｆ（図示省略）に着床し得る補助脚２１Ａが設けられる。
【００２７】
上枠部２２は、例えば、ベッド長さ方向にのびる１対の上縦枠２２Ａと、ベッド幅方向にのび、１対の上縦枠２２Ａを接続する断面円形状の第１上横枠２２Ｂ及び断面矩形状の第２上横枠２２Ｃとを含んでいる。本実施形態の第１上横枠２２Ｂ及び第２上横枠２２Ｃは、それぞれ、２本ずつ設けられている。４つの支持部２１は、２本の第１上横枠２２Ｂに、２つずつ設けられるのが望ましい。
【００２８】
本実施形態の上部フレーム２０は、さらに上枠部２２の上方に、寝台部３（図２に示す）を下側から支持する複数の支持フレーム２３と、複数のフレーム支点部２４とを有している。支持フレーム２３は、ベッド幅方向にのび、その端部２３ａが上縦枠２２Ａよりもベッド幅方向外側に突出しているのが望ましい。
【００２９】
フレーム支点部２４は、上縦枠２２Ａの下半身側Ｓ２の端部２２Ａａに、上縦枠２２Ａから上方に突出して設けられるのが望ましい。本実施形態のフレーム支点部２４は、後述する水平面部２４ａと傾斜面部２４ｂとにより、寝台部３を下側から支持している。水平面部２４ａと傾斜面部２４ｂとは、滑らかな円弧面部２４ｃで接続されているのが望ましい。
【００３０】
図２に示されるように、ベッド長さ方向において、上部フレーム２０の長さは、下部フレーム１０の長さよりも小さいのが望ましい。下部フレーム１０の長さを大きくすることにより、ベッド１の安定性が向上する。また、上部フレーム２０の長さを小さくすることにより、寝台部３が可動したときに寝台部３との干渉を避けることができる。
【００３１】
ベッドフレーム２は、さらに、上部フレーム２０のベッド幅方向の両側に、ベッド長さ方向にのびる１対のサイドフレーム２５を含んでいるのが望ましい。サイドフレーム２５は、例えば、支持フレーム２３の端部２３ａに固定される。１対のサイドフレーム２５は、例えば、上半身側Ｓ１の端部２５ａがヘッドボード２６に固定される。一方、１対のサイドフレーム２５は、下半身側Ｓ２の端部２５ｂが連結されることなく開放されているのが望ましい。
【００３２】
ベッドフレーム２は、さらに、サイドフレーム２５にベッド長さ方向の位置調整可能に取り付けられる１対のサイドボード２７を含んでいるのが望ましい。サイドボード２７は、例えば、サイドフレーム２５の複数の取付孔２５ｃに差し込まれる複数の取付棒２７ａを備えている。本実施形態では、各サイドフレーム２５が、６つの取付孔２５ｃを有し、各サイドボード２７が、２本の取付棒２７ａを有している。このようなサイドボード２７は、取付棒２７ａが差し込まれる取付孔２５ｃを選択できるので、ベッド長さ方向の位置調整が容易である。
【００３３】
本実施形態の昇降機構３０は、上部フレーム２０と下部フレーム１０とを相対移動可能に連結しかつベッド幅方向にのびる水平軸周りに揺動可能な昇降レバー３１と、昇降レバー３１を揺動させる昇降アクチュエータ３７（図５に示す）とを含んでいる。昇降機構３０は、少なくとも４本、本実施形態では４本の昇降レバー３１を含んでいる。上部フレーム２０と下部フレーム１０とは、少なくとも４ヶ所、本実施形態では４ヶ所で昇降レバー３１により連結される。
【００３４】
図５には、昇降機構３０の上面図が示されている。図５に示されるように、ベッド幅方向に配された１対の昇降レバー３１は、例えば、レバー連結軸３３により、相対回転不能に固定される。本実施形態のレバー連結軸３３は、上半身側Ｓ１に配される第１レバー連結軸３３Ａと、下半身側Ｓ２に配される第２レバー連結軸３３Ｂとを含んでいる。第１レバー連結軸３３Ａ及び第２レバー連結軸３３Ｂには、それぞれ、第１昇降アーム３４が設けられる。各第１昇降アーム３４は、ベッド長さ方向にのびる連結バー３５と、回り対偶で連結される。
【００３５】
本実施形態の第１レバー連結軸３３Ａは、さらに第２昇降アーム３６が設けられる。第２昇降アーム３６は、例えば、昇降レバー３１を揺動させる昇降アクチュエータ３７が連結され、第１レバー連結軸３３Ａを回動させる。このため、昇降アクチュエータ３７は、第２昇降アーム３６を介して第１レバー連結軸３３Ａを回動させ、第１レバー連結軸３３Ａは、第１昇降アーム３４及び連結バー３５を介して第２レバー連結軸３３Ｂを回動させ得る。これにより、第１レバー連結軸３３Ａ及び第２レバー連結軸３３Ｂに固定された４本の昇降レバー３１は、略同一の動きで揺動することができる。
【００３６】
図６には、図５のＡ−Ａ線断面図が示されている。図６に示されるように、本実施形態の昇降機構３０の昇降レバー３１は、上部フレーム２０側に連結される第１連結部３１ａと、下部フレーム１０側に連結される第２連結部３１ｂとを含んでいる。昇降レバー３１は、第１連結部３１ａと第２連結部３１ｂとの間に、後述する昇降リンク３２が連結される第３連結部３１ｃをさらに含むのが望ましい。
【００３７】
本実施形態の昇降レバー３１の第１連結部３１ａは、上部フレーム２０の支持部２１に対し、レバー連結軸３３を介して回り対偶で連結されている。また、第２連結部３１ｂは、下部フレーム１０のスライドレール１３に対し、水平方向にスライド可能な回り滑り対偶で連結されている。このような昇降機構３０は、昇降レバー３１の揺動に応じて上部フレーム２０を昇降させることができるので、ベッド１の使用状態に応じて、上部フレーム２０の高さを容易に調整することができる。
【００３８】
昇降機構３０は、さらに、下部フレーム１０と昇降レバー３１とを連結しかつベッド幅方向にのびる水平軸周りに揺動可能な昇降リンク３２を含んでいるのが望ましい。このような昇降リンク３２は、昇降レバー３１毎に設けられるのが望ましい。
【００３９】
本実施形態の昇降リンク３２は、昇降レバー３１に連結される第１リンク端３２ａと、下部フレーム１０側に連結される第２リンク端３２ｂとを含んでいる。第１リンク端３２ａは、例えば、昇降レバー３１の第３連結部３１ｃに対し、回り対偶で連結される。第２リンク端１６ｂは、例えば、下部フレーム１０のリンク支点部１４に対し、回り対偶で連結される。
【００４０】
昇降リンク３２の第１リンク端３２ａと第２リンク端３２ｂと間の長さＬ１は、昇降レバー３１の第１連結部３１ａと第３連結部３１ｃとの間の長さＬ２に等しい。このような昇降リンク３２は、昇降レバー３１の第１連結部３１ａを、垂直方向に昇降させることができる。
【００４１】
本実施形態の昇降アクチュエータ３７は、一端３７ａが第１レバー連結軸３３Ａの第２昇降アーム３６に連結され、他端３７ｂが上部フレーム２０に連結される。昇降アクチュエータ３７は、例えば、任意の長さに変更可能な電動シリンダであるのが望ましい。本実施形態では、１つの昇降アクチュエータ３７が、上部フレーム２０を下部フレーム１０に対して垂直方向に昇降させている。
【００４２】
なお、説明は省略されるが、第２レバー連結軸３３Ｂ側の昇降機構３０の昇降レバー３１及び昇降リンク３２も、第２昇降アーム３６及び昇降アクチュエータ３７を除き、第１レバー連結軸３３Ａ側の昇降機構３０と同様の構造を有している。
【００４３】
図１に示されるように、本実施形態の寝台部３は、使用者の下半身側が載せられる下半身側寝台部４０と、使用者の上半身側が載せられる上半身側寝台部５０とを含んでいる。寝台部３は、さらに下半身側寝台部４０と上半身側寝台部５０との間に、使用者のでん部が載せられる中央寝台部６０を含んでいるのが望ましい。
【００４４】
下半身側寝台部４０、上半身側寝台部５０及び中央寝台部７０には、例えば、ウレタンフォーム等のクッション材（図示省略）が設けられている。このようなクッション材は、下半身側寝台部４０から上半身側寝台部５０にかけて連続しているのが望ましい。また、少なくとも上半身側Ｓ１のクッション材は、上半身側寝台部５０に固定されているのが望ましい。
【００４５】
図７には、下半身側寝台部４０の部分断面図が示されている。図７に示されるように、本実施形態の下半身側寝台部４０は、使用者の太もも側が載せられる上半身側Ｓ１の第１部分４１と、使用者のふくらはぎ側が載せられる下半身側Ｓ２の第２部分４２とを含んでいる。第１部分４１は、第２部分４２よりもベッド長さ方向の長さが短いのが望ましい。
【００４６】
第１部分４１は、下半身側ブラケット４３を介してベッド幅方向にのびる水平軸周りに回動可能に上部フレーム２０に連結された第１端部４１ａと、第２部分４２側の第２端部４１ｂとを含んでいる。
【００４７】
図２に示されるように、本実施形態では、ベッド幅方向に離間して配された１対の下半身側ブラケット４３が、ベッド幅方向にのびる下半身側連結軸４４により相対回転不能に固定される。下半身側連結軸４４には、さらに下半身側ブラケット４３に対し直交する方向にのびる下半身側アーム４５が設けられるのが望ましい。
【００４８】
図７に示されるように、下半身側アーム４５には、例えば、下半身側アクチュエータ４６が連結され、下半身側連結軸４４を回動させる。本実施形態の下半身側アクチュエータ４６は、一端４６ａが下半身側アーム４５に連結され、他端４６ｂが上部フレーム２０に連結される。下半身側アクチュエータ４６は、例えば、任意の長さに変更可能な電動シリンダであるのが望ましい。本実施形態では、１つの下半身側アクチュエータ４６が、第１部分４１を上部フレーム２０に対して傾動させている。
【００４９】
第２部分４２は、第１部分４１の第２端部４１ｂに屈曲可能に連結された基端部４２ａと、基端部４２ａとは反対側の端部である先端部４２ｂとを含んでいる。第２部分４２は、その先端部４２ｂよりも基端部４２ａ側のみが、上部フレーム２０のフレーム支点部２４により下側から支持されている。このような第２部分４２は、ベッド側面視において、第１部分４１の第２端部４１ｂとフレーム支点部２４との２点でその傾斜角度を確定される。このため、第２部分４２の先端部４２ｂの高さを任意の位置にすることが、容易である。
【００５０】
第２部分４２は、第１部分４１の傾動に伴い、第１部分４１とは反対方向に傾動する。このため、フレーム支点部２４の傾斜面部２４ｂは、最も傾動した第２部分４２と実質的に平行な面であるのが望ましい。すなわち、フレーム支点部２４は、水平状態の第２部分４２を支持しかつ水平な水平面部２４ａと、傾斜状態の第２部分４２を支持しかつ傾斜状態の第２部分４２と実質的に平行な傾斜面部２４ｂとを含んでいる。
【００５１】
本実施形態の第２部分４２の先端部４２ｂには、フットボード４７が固定される。このため、フットボード４７は、第２部分４２の傾動に伴い、傾動する。このため、第２部分４２が傾斜した状態であっても、寝具（図示省略）や使用者等が落下することを防止し得る。
【００５２】
図１に示されるように、本実施形態の上半身側寝台部５０は、使用者の頭部側が載せられる第３部分５１と、使用者の背中が載せられる第４部分５２とを含んでいる。第３部分５１は、第４部分５２よりもベッド長さ方向の長さが短いのが望ましい。第３部分５１は、例えば、１対の頭部リンク５３により、第４部分５２に対し傾動可能に連結されている。第４部分５２は、例えば、上半身側レバー５４（図８に示す）により、ベッドフレーム２に対し傾動可能に連結されている。
【００５３】
図８には、上半身側寝台部５０の部分断面図が示されている。図８に示されるように、本実施形態の各頭部リンク５３は、それぞれ、第１頭部リンク５３Ａと第２頭部リンク５３Ｂとを含んでいる。第１頭部リンク５３Ａは、第３部分５１に対して、第２頭部リンク５３Ｂよりも離れた位置に配されている。第１頭部リンク５３Ａは、第２頭部リンク５３Ｂよりも長いのが望ましい。各頭部リンク５３は、それぞれ、各連結部がベッド幅方向にのびる水平軸周りに回動可能な回り対偶である。このような頭部リンク５３は、台形リンク機構を構成し、第３部分５１を第４部分５２に対し傾動させることができる。
【００５４】
第１頭部リンク５３Ａは、頭部アーム５５と一体的に構成されるのが望ましい。頭部アーム５５は、例えば、ロッド５６を介して、上半身側リンク５７に連結されている。ロッド５６は、一端５６ａが頭部アーム５５に回り対偶で連結され、他端５６ｂが上半身側リンク５７に回り対偶で連結されている。ロッド５６の他端５６ｂは、例えば、第４部分５２に設けられた長穴５２ａにより、その作動範囲が規制されている。このようなロッド５６は、第４部分５２に沿って配されるのが望ましい。
【００５５】
上半身側リンク５７は、例えば、第１上半身側リンク５７Ａと第２上半身側リンク５７Ｂとが連結され、略くの字状に構成される。第１上半身側リンク５７Ａは、ロッド５６と回り対偶で連結されるとともに、第４部分５２の長穴５２ａに回り滑り対偶で連結される。第２上半身側リンク５７Ｂは、第４部分５２に回り対偶で連結される。
【００５６】
上半身側リンク５７は、例えば、上半身側アーム５８に押圧される。上半身側アーム５８は、一端側アーム５８ａと、他端側アーム５８ｂと、一端側アーム５８ａと他端側アーム５８ｂとの間に位置する中央部５８ｃとを含んでいる。上半身側アーム５８の中央部５８ｃは、例えば、上部フレーム２０に対し回り滑り対偶で連結される。上半身側アーム５８は、一端側アーム５８ａが、上半身側リンク５７を押圧し、他端側アーム５８ｂが、上半身側アクチュエータ５９に連結されているのが望ましい。このような上半身側アーム５８は、上半身側レバー５４と連動して、第４部分５２を上部フレーム２０に対し傾動させることができる。
【００５７】
本実施形態の上半身側アクチュエータ５９は、一端５９ａが上半身側アーム５８の他端側アーム５８ｂに連結され、他端４６ｂが上部フレーム２０に連結される。上半身側アクチュエータ５９は、例えば、任意の長さに変更可能な電動シリンダであるのが望ましい。本実施形態では、１つの上半身側アクチュエータ５９が、第３部分５１及び第４部分５２を上部フレーム２０に対して傾動させている。
【００５８】
図１に示されるように、中央寝台部６０は、ベッドフレーム２に対し相対移動不能に固定されるのが望ましい。
【００５９】
次に本実施形態のベッド１の下半身側寝台部４０を傾動させるときの第２部分４２の作動について説明される。図９には、下半身側寝台部４０が基準状態ＰＳのベッド１の断面図が示されている。図９に示されるように、本実施形態では、ベッド側面視において、下半身側寝台部４０の寝台面が床面Ｆに平行、すなわち、水平状態である基準状態（以下、単に「基準状態」ということがある）ＰＳにおいて、下半身側アクチュエータ４６は、最も短い状態となる。
【００６０】
ベッド側面視において、基準状態ＰＳでは、第１部分４１は、その寝台面が床面Ｆに平行な水平状態となる。このとき、第１部分４１の第２端部４１ｂは、第１端部４１ａと略同じ高さになる。
【００６１】
この基準状態ＰＳでは、下半身側寝台部４０の第２部分４２は、第２部分４２の基端部４２ａが第１部分４１の第２端部４１ｂで支持される。また、第２部分４２は、第２部分４２の先端部４２ｂよりも基端部４２ａ側のみが上部フレーム２０のフレーム支点部２４の水平面部２４ａで支持される。このような第２部分４２も、その寝台面が床面Ｆに平行な水平状態となり、第２部分４２の先端部４２ｂが、基端部４２ａと同じ高さとなる。
【００６２】
図１０には、下半身側寝台部４０が屈曲状態ＰＦのベッド１の断面図が示されている。図１０に示されるように、本実施形態では、ベッド側面視において、下半身側寝台部４０の寝台面が最も傾斜する屈曲状態（以下、単に「屈曲状態」ということがある）ＰＦにおいて、下半身側アクチュエータ４６は、最も長い状態となる。屈曲状態ＰＦでは、下半身側寝台部４０が、第１部分４１の第２端部４１ｂ及び第２部分４２の基端部４２ａを頂点とした山折り状となる。このため、寝台部３上の使用者は、屈曲状態ＰＦにおいて、下半身側寝台部４０の山折り形状に自らの足を沿わせて、もたせ掛けることができる。
【００６３】
ベッド側面視において、屈曲状態ＰＦでは、第１部分４１は、その寝台面が床面Ｆに対し傾斜した傾斜状態となる。このとき、第１部分４１の第２端部４１ｂは、第１端部４１ａよりも上方に位置する。
【００６４】
この屈曲状態ＰＦでは、下半身側寝台部４０の第２部分４２は、基準状態ＰＳと同様に、第２部分４２の基端部４２ａが第１部分４１の第２端部４１ｂで支持される。また、第２部分４２は、第２部分４２の先端部４２ｂよりも基端部４２ａ側のみが上部フレーム２０のフレーム支点部２４の傾斜面部２４ｂで支持される。
【００６５】
このような第２部分４２は、その寝台面が床面Ｆに対し第１部分４１とは反対方向に傾斜しており、第２部分４２の先端部４２ｂが、基端部４２ａよりも下方に位置する。このとき、第２部分４２は、その先端部４２ｂが基準状態ＰＳの寝台面よりも下方に位置して傾斜している。このため、下半身側寝台部４０によって使用者の足が持ち上げられた場合でも、ふくらはぎを従来よりも下方に位置させることができる。従って、本実施形態のベッド１は、屈曲状態ＰＦにおいて、従来のベッドに比べて腹部等の圧迫を軽減して、快適な使用感が得られる。
【００６６】
図９及び図１０に示されるように、本実施形態の下半身側寝台部４０は、ベッド側面視において、基準状態ＰＳと屈曲状態ＰＦとに変形可能である。このとき、フットボード４７は、下半身側寝台部４０の第２部分４２の傾動に伴い傾動するので、下半身側寝台部４０上の寝具（図示省略）又は使用者等が落下することを防止し得る。また、ベッドフレーム２の１対のサイドフレーム２５は、下半身側Ｓ２の端部２５ｂが開放されているので、屈曲状態ＰＦから基準状態ＰＳに変形するときにも、寝具又は使用者等が第２部分４２とベッドフレーム２との間に挟まれるおそれがない。
【００６７】
下半身側寝台部４０は、基準状態ＰＳと屈曲状態ＰＦとの間の中間状態ＰＣとすることも可能である。この中間状態ＰＣでは、基準状態ＰＳ及び屈曲状態ＰＦと同様に、下半身側寝台部４０の第２部分４２は、第２部分４２の基端部４２ａが第１部分４１の第２端部４１ｂで支持される。また、第２部分４２は、第２部分４２の先端部４２ｂよりも基端部４２ａ側のみが上部フレーム２０のフレーム支点部２４の円弧面部２４ｃで支持される。
【００６８】
以上、本発明の特に好ましい実施形態について詳述したが、本発明は、上記実施形態に限定されることなく、種々の態様に変形して実施し得る。
【００６９】
上述の実施形態では、第２部分４２がフレーム支点部２４により下側から支持されていたが、例えば、第２部分４２は、その支持部が先端部４２ｂよりも基端部４２ａ側であれば、側面側から支持されてもよい。このような支持部は、回り滑り対偶で支持されるのが望ましい。
【００７０】
また、上述の実施形態では、フレーム支点部２４の水平面部２４ａと傾斜面部２４ｂとが円弧面部２４ｃで接続されていたが、例えば、角度の異なる複数の傾斜面部で接続されてもよい。このような態様は、特に下半身側寝台部４０の傾斜角度が有段に調整される場合に有効である。
【００７１】
また、上述の実施形態では、ベッドフレーム２が昇降機構３０により昇降されていたが、例えば、下半身側寝台部４０は、昇降機構３０を有さないベッド１に適用されてもよい。
【符号の説明】
【００７２】
２    ベッドフレーム
２４    フレーム支点部
４０    下半身側寝台部
４１    第１部分
４１ｂ  第２端部
４２    第２部分
４２ａ  基端部
４２ｂ  先端部
５０    上半身側寝台部
【図１】
0006368296.tif 000002
【図２】
0006368296.tif 000003
【図３】
0006368296.tif 000004
【図４】
0006368296.tif 000005
【図５】
0006368296.tif 000006
【図６】
0006368296.tif 000007
【図７】
0006368296.tif 000008
【図８】
0006368296.tif 000009
【図９】
0006368296.tif 000010
【図１０】
0006368296.tif 000011